(57)【要約】      （修正有）【課題】登録できる最大ウィジェット個数を設定し、最大個数に該当するウィジェットが登録された状態で追加の登録が要請される場合、登録されているウィジェットのうち優先順位が低いものを削除した後、登録要請されたウィジェットを登録する携帯端末機のウィジェット管理方法及び装置を提供する。【解決手段】携帯端末機のウィジェット管理方法は、ウィジェット登録制限個数が設定された少なくとも１つのウィジェットを登録する登録イベントまたは登録された少なくとも１つのウィジェットを削除する削除イベントのうちいずれか１つに該当する管理イベントが発生する過程と、管理イベントが登録イベントなら、前記登録要請されたウィジェット数に対応して既登録のウィジェットを削除する過程と、前記管理イベントが削除イベントなら、前記削除要請されたウィジェット数だけの予約されたウィジェットを登録する過程と、を含む。【選択図】図１
2011054169.tif 000002
【特許請求の範囲】
【請求項１】
携帯端末機のウィジェット管理方法において、
ウィジェット登録制限個数が設定されたウィジェットレイに少なくとも１つのウィジェットを登録する登録イベントまたは前記ウィジェットレイに登録された少なくとも１つのウィジェットを削除する削除イベントのうちいずれか１つに該当するウィジェット管理イベントが発生する過程と、
前記ウィジェット管理イベントが登録イベントなら、前記登録要請されたウィジェット数に対応して前記ウィジェットレイに既登録の少なくとも１つのウィジェットを前記ウィジェットレイから削除し、前記登録要請された少なくとも１つの新しいウィジェットを前記ウィジェットレイに登録する過程と、
前記ウィジェット管理イベントが削除イベントなら、前記削除要請された少なくとも１つのウィジェットを前記ウィジェットレイから削除し、前記削除要請されたウィジェット数だけの予約されたウィジェットを前記ウィジェットレイに登録する過程と、を含むことを特徴とする携帯端末機のウィジェット管理方法。
【請求項２】
前記既登録の少なくとも１つのウィジェットを前記ウィジェットレイから削除する過程は、
前記登録イベントが発生すれば、前記ウィジェットレイで利用可能なウィジェットの数が前記ウィジェット登録制限個数を超過するか否かを確認する過程と、
前記ウィジェット登録制限個数を超過する場合、前記登録要請されたウィジェットの数に対応して前記ウィジェットレイに既登録の少なくとも１つのウィジェットを自動削除する過程と、
前記登録要請された少なくとも１つのウィジェットを前記ウィジェットレイに登録する過程と、を含むことを特徴とする請求項１に記載の携帯端末機のウィジェット管理方法。
【請求項３】
前記自動削除する過程は、
前記ウィジェットレイに登録されたウィジェットの優先順位を確認する過程と、
前記優先順位によって削除すべき少なくとも１つのウィジェットを選択する過程と、を含むことを特徴とする請求項２に記載の携帯端末機のウィジェット管理方法。
【請求項４】
前記自動削除する過程は、
前記選択されたウィジェットに保護機能が設定されているか否かを確認する過程と、
前記保護機能が設定されていない場合、前記選択されたウィジェットを削除する過程と、を含むことを特徴とする請求項３に記載の携帯端末機のウィジェット管理方法。
【請求項５】
前記自動削除する過程は、
前記ウィジェット登録制限個数を超過したことを通知する過程と、
前記ウィジェットレイから削除されるウィジェットを確認する過程と、をさらに含むことを特徴とする請求項２に記載の携帯端末機のウィジェット管理方法。
【請求項６】
前記自動削除されたウィジェットに関する情報を予約スタックに保存する過程をさらに含むことを特徴とする請求項２に記載の携帯端末機のウィジェット管理方法。
【請求項７】
前記予約されたウィジェットを前記ウィジェットレイに登録する過程は、
前記削除イベントが発生すれば、削除要請された少なくとも１つのウィジェットを前記ウィジェットレイから削除する過程と、
前記削除されたウィジェットの数に対応して前記予約スタックに保存されているウィジェット情報を抽出する過程と、
前記抽出されたウィジェット情報に対応するウィジェットをウィジェットレイに登録する過程と、を含むことを特徴とする請求項６に記載の携帯端末機のウィジェット管理方法。
【請求項８】
前記登録イベントは、
待機画面に位置するウィジェットを前記ウィジェットレイに移動するイベント及び特定のウィジェットを携帯端末機に設置するイベントのうち少なくとも１つを含み、
前記削除イベントは、
前記ウィジェットレイに登録された少なくとも１つのウィジェットを前記携帯端末機の待機画面に移動するイベント、携帯端末機に設置された少なくとも１つのウィジェットを削除するイベント、少なくとも１つのウィジェットを前記ウィジェットレイから削除するイベントのうち少なくとも１つを含むことを特徴とする請求項１に記載の携帯端末機のウィジェット管理方法。
【請求項９】
携帯端末機のウィジェット管理装置において、
ウィジェット登録制限個数が設定されたウィジェットレイを一側に表示する表示部と、
前記ウィジェットレイに少なくとも１つのウィジェットを登録するか、または前記ウィジェットレイから少なくとも１つのウィジェットを削除する場合、前記ウィジェットレイに登録されたウィジェット個数を前記ウィジェット登録制限個数に維持するように制御する制御部と、を含むことを特徴とする携帯端末機のウィジェット管理装置。
【請求項１０】
前記制御部は、
前記ウィジェットレイに少なくとも１つのウィジェットを登録する登録イベントの発生時に、前記ウィジェット登録制限個数を超過するか否かを確認し、超過する場合、前記登録要請されたウィジェット数に対応して前記ウィジェットレイに登録された少なくとも１つのウィジェットを自動削除した後、前記登録要請された少なくとも１つのウィジェットを前記ウィジェットレイに登録し、前記自動削除された少なくとも１つのウィジェットに関する情報を保存部の予約スタックに保存するように制御することを特徴とする請求項９に記載の携帯端末機のウィジェット管理装置。
【請求項１１】
前記自動削除された少なくとも１つのウィジェットに関する情報は、インデックス情報を含み、前記予約スタックは、前記インデックス情報を後入れ先出し（ＬＩＦＯ：Ｌａｓｔ  Ｉｎ  Ｆｉｒｓｔ  Ｏｕｔ）方式で保存することを特徴とする請求項１０に記載の携帯端末機のウィジェット管理装置。
【請求項１２】
前記制御部は、
前記登録要請されたウィジェットを前記ウィジェットレイの最上位位置に登録することを特徴とする請求項１０に記載の携帯端末機のウィジェット管理装置。
【請求項１３】
前記制御部は、
前記自動削除以前に、前記ウィジェットレイに登録されたウィジェットの削除可否を要請するメッセージを出力するように制御することを特徴とする請求項１０に記載の携帯端末機のウィジェット管理装置。
【請求項１４】
前記制御部は、
前記ウィジェットレイに含まれたウィジェットに保護機能が設定されているか否かを確認し、前記保護機能が設定されていないウィジェットを前記ウィジェットレイから削除するように制御することを特徴とする請求項１０に記載の携帯端末機のウィジェット管理装置。
【請求項１５】
前記制御部は、
前記ウィジェットレイに登録された少なくとも１つのウィジェットが削除される場合、前記予約スタックに保存された少なくとも１つのウィジェットを前記ウィジェットレイにさらに登録するように制御することを特徴とする請求項１０に記載の携帯端末機のウィジェット管理装置。
【発明の詳細な説明】
【技術分野】
【０００１】
本発明は、携帯端末機に関し、より詳細には、携帯端末機に保存されたウィジェット（Ｗｉｄｇｅｔ）情報を効率的に管理することができる携帯端末機のウィジェット管理方法及び装置に関する。
【背景技術】
【０００２】
通信と電子デバイス分野における技術進歩につれて、携帯端末機は、既存の音声通話だけでなく、カメラ機能、デジタル放送機能（ＤＭＢ：Ｄｉｇｉｔａｌ  Ｍｕｌｔｉｍｅｄｉａ  Ｂｒｏａｄｃａｓｔｉｎｇ）、ＭＰ３機能のような多様な機能を備えるようになった。特に、最近の携帯端末機は、ウィジェットサービスを提供することができる。前記ウィジェットサービスは、携帯端末機のメニューのうち頻繁に使用されるメニューと連結されたアプリケーションを携帯端末機の待機画面に表示し、ユーザが前記メニューに容易にアクセスできるようにするか、または天気情報、株式情報及びニュース情報などをインターネット網と連結されたサーバーから受信し、待機画面に表示するようにするサービスである。
【０００３】
一方、携帯端末機で利用可能なウィジェットサービスが多様になるに伴い、携帯端末機に登録されたウィジェットを一層便利に管理できる方法が要求されるようになり、これによって、従来、携帯端末機に設置（Ｉｎｓｔａｌｌ）されたウィジェットを登録して管理することができるウィジェットレイ（Ｗｉｄｇｅｔ  Ｔｒａｙ）が提供されるようになった。前記ウィジェットレイは、携帯端末機に登録されたウィジェットを表示部の一側にリスト形態で出力する。この際、ユーザは、前記ウィジェットレイに出力されたウィジェットを待機画面に移動させて、ウィジェットを待機画面に登録することができる。しかし、従来は、携帯端末機に設置されたすべてのウィジェットを前記ウィジェットレイに登録していた。このようなかたちで登録すると前記ウィジェットレイに過度な量のウィジェットが登録されるため、携帯端末機に過負荷が発生するようになる。また、小さいサイズを有するウィジェットレイに多い量のウィジェットを登録する場合、ウィジェットレイを利用したウィジェット管理の便宜性が減少するという問題があった。
【発明の概要】
【発明が解決しようとする課題】
【０００４】
本発明は、前述のような問題点に鑑みてなされたものであって、その目的は、ウィジェットレイに登録できる最大ウィジェット個数を設定し、最大ウィジェット個数に該当するウィジェットがウィジェットレイに登録された状態で追加にウィジェットの登録が要請される場合、ウィジェットレイに登録されているウィジェットのうち優先順位が低いウィジェットを削除した後、登録要請されたウィジェットをウィジェットレイに登録する携帯端末機のウィジェット管理方法及び装置を提供することにある。
【０００５】
本発明の他の目的は、ウィジェットレイに登録されたウィジェットが削除され、ウィジェットレイが最大ウィジェット個数未満のウィジェットを含む場合、予約スタックに既保存のウィジェットを前記ウィジェットレイに自動に登録する携帯端末機のウィジェット管理方法及び装置を提供することにある。
【課題を解決するための手段】
【０００６】
上記目的を達成するために、本発明の好ましい実施例による携帯端末機のウィジェット管理方法は、ウィジェット登録制限個数が設定されたウィジェットレイに少なくとも１つのウィジェットを登録する登録イベントまたは前記ウィジェットレイに登録された少なくとも１つのウィジェットを削除する削除イベントのうちいずれか１つに該当するウィジェット管理イベントが発生する過程と、前記ウィジェット管理イベントが登録イベントなら、前記登録要請されたウィジェット数に対応して前記ウィジェットレイに既登録のウィジェットを前記ウィジェットレイから削除する過程と、前記ウィジェット管理イベントが削除イベントなら、前記削除要請されたウィジェット数だけの予約されたウィジェットを前記ウィジェットレイに登録する過程と、を含むことを特徴とする。
【０００７】
また、本発明の好ましい実施例による携帯端末機のウィジェット管理装置は、ウィジェット登録制限個数が設定されたウィジェットレイを一側に表示する表示部と、前記ウィジェットレイに少なくとも１つのウィジェットを登録するか、または前記ウィジェットレイから少なくとも１つのウィジェットを削除する場合、前記ウィジェットレイに登録されたウィジェット個数を前記ウィジェット登録制限個数に維持するように制御する制御部と、を含む。
【発明の効果】
【０００８】
本発明による携帯端末機のウィジェット管理方法及び装置は、ウィジェットレイに登録される最大ウィジェット数を制限することによって、携帯端末機の過負荷を防止することができ、頻繁に使用されるか、または最近登録されたウィジェットを前記ウィジェットレイに表示することによって、ユーザの便宜性を向上させることができる。
【０００９】
また、本発明は、前記ウィジェットレイから特定のウィジェットが削除される場合、予約スタックに保存されているウィジェットを自動にウィジェットレイに登録し、前記ウィジェットレイに新しいウィジェットが登録要請される場合、優先順位によって前記ウィジェットレイに既登録のウィジェットを削除することによって、前記ウィジェットレイが一定数のウィジェット情報を維持するようにすることができる。したがって、前記ウィジェットレイに多量のウィジェットが登録され、便宜性が低下する問題を防止することができる。
【図面の簡単な説明】
【００１０】
【図１】本発明の実施例によるウィジェット管理方法を概略的に示すフローチャートである。
【図２】本発明の実施例による登録イベント発生時のウィジェット管理方法を示すフローチャートである。
【図３】本発明の実施例による図２の例示図である（表示部）。
【図４】本発明の実施例による図２の例示図である（予約スタック）。
【図５】本発明の実施例による図２の例示図である（ポップアップ窓）。
【図６】本発明の実施例による削除イベント発生時のウィジェット管理方法を示すフローチャートである。
【図７】本発明の実施例による図６の例示図である（表示部  １つのウィッジェドを削除）。
【図８】本発明の実施例による図６の例示図である（予約スタック  １つのウィッジェドを削除）。
【図９】本発明の実施例による図６の例示図である（表示部  ２つのウィッジェドを同時削除）。
【図１０】本発明の実施例による図６の例示図である（予約スタック  ２つのウィッジェドを同時削除）。
【図１１】本発明の実施例によるウィジェット保護設定方法を示すフローチャートである。
【図１２】本発明の実施例による図１１の例示図である。
【図１３】本発明の実施例による携帯端末機の概略的な構成を示すブロック図である。
【発明を実施するための形態】
【００１１】
次に、本発明に係る携帯端末機のウィジェット管理方法及び装置を実施するための形態の具体例を図面を参照しながら説明する。この際、添付の図面において同一の構成要素は、できるだけ同一の符号で示している。また、本発明の要旨を不明にするような公知の機能及び構成について、詳細な説明は省略する。
【００１２】
一方、本明細書及び図面に開示された本発明の実施例は、本発明の技術内容を容易に説明し、本発明の理解を助けるために特定の例を提示したものに過ぎず、本発明の範囲を限定しようとするものではない。ここに開示された実施例以外にも、本発明の技術的思想に基づく他の変形例が実施可能であることは、本発明の属する技術分野における通常の知識を有する者に自明である。
【００１３】
以下では、「ウィジェット」は、携帯端末機の特定機能を待機画面で容易に実行するためのアプリケーションであるか、またはインターネット網と連結されたサーバーを介して受信した多様な情報を携帯端末機の待機画面に表示するイメージまたはアイコンを意味する。例えば、前記ウィジェットは、天気を表示する天気ウィジェット、ニュースを表示するニュースウィジェット、時間を表示する時間ウィジェット及び地下鉄路線を表示する地下鉄路線ウィジェットなどである。前記ウィジェットは、ウィジェットレイに登録されるか、または携帯端末機の待機画面で常時的に動作するように設定される。
【００１４】
以下では、「ウィジェットレイ」は、前記ウィジェットが登録されている領域である。この際、前記ウィジェットレイは、ユーザの選択によって携帯端末機の表示部の一側に表示されるか、または除去されてもよい。また、前記ウィジェットレイに登録できるウィジェットの最大個数は、携帯端末機の性能またはユーザの選択によって制限できる。また、前記ウィジェットレイは、優先順位、例えば、最近登録されたウィジェット、最近使用されたウィジェット、利用頻度によってウィジェット情報を整列して表示する。
【００１５】
以下では、「予約スタック」は、前記ウィジェットレイの登録可能な最大ウィジェット数の制限によってウィジェットレイから自動削除されるウィジェットに関する情報が保存されるスタックである。前記予約スタックは、自動削除されるウィジェット情報を後入れ先出し方式（Ｌａｓｔ  Ｉｎ  Ｆｉｒｓｔ  Ｏｕｔ：ＬＩＦＯ）で保存する。しかし、本発明が前記ＬＩＦＯ方式に限定されるものではない。また、前記予約スタックは、削除されるウィジェットに関するインデックス情報のみを保存する。
【００１６】
以下では、「ウィジェット管理イベント」は、新しいウィジェットをウィジェットレイに登録するための登録イベント、ウィジェットレイに登録されているウィジェットを削除するための削除イベントを含む。前記登録イベントは、特定のサーバーからダウンロードされる新しいウィジェットを携帯端末機に設置（Ｉｎｓｔａｌｌ）し、前記ウィジェットレイに登録するイベント及び待機画面に表示されたウィジェットのうちいずれか１つを前記ウィジェットレイに移動するイベントである。また、前記削除イベントは、特定のウィジェットを携帯端末機から除去（Ｕｎｉｎｓｔａｌｌ）するイベント、特定のウィジェットを前記ウィジェットレイから削除するイベントまたは前記ウィジェットレイに含まれた特定のウィジェットを待機画面に移動するイベントである。
【００１７】
図１は、本発明の実施例による携帯端末機のウィジェット管理方法を説明するためのフローチャートである。
【００１８】
詳細な説明に先立って、以下では、ユーザの選択またはウィジェットの設置手順によって前記ウィジェットレイに登録可能な最大個数であるウィジェット登録制限個数だけのウィジェットが前記ウィジェットレイに既登録のものと仮定して説明する。
【００１９】
図１を参照すれば、ブーティング手続完了後に、携帯端末機は、段階１０１で待機状態である。その後、前記携帯端末機は、段階１０３でウィジェット管理イベントが発生するか否かを確認する。前記ウィジェット管理イベントは、ウィジェットレイに少なくとも１つの特定のウィジェットが登録される登録イベント及び前記ウィジェットレイから少なくとも１つのウィジェットが削除される削除イベントを含む。前記登録イベントは、特定のサーバーからダウンロードされる新しいウィジェットを携帯端末機に設置し、前記ウィジェットレイに登録するイベント及び待機画面に表示されたウィジェットのうちいずれか１つを前記ウィジェットレイに移動するイベントを含む。また、前記削除イベントは、特定のウィジェットを携帯端末機から除去するイベント、特定のウィジェットを前記ウィジェットレイから削除するイベントまたは前記ウィジェットレイに含まれた特定のウィジェットを待機画面に移動するイベントを含む。
【００２０】
前記段階１０３で、ウィジェット管理イベントが発生しない場合、前記携帯端末機は、段階１０９に進行し、当該機能を行う。例えば、前記携帯端末機は、ユーザの選択によって音楽再生機能、写真撮影機能などを行うか、または待機状態を維持する。一方、前記段階１０３で、ウィジェット管理イベントが発生する場合、前記携帯端末機は、段階１０５に進行し、前記ウィジェット管理イベント発生に対応して前記ウィジェットレイに含まれたウィジェットの数を既設定のウィジェット登録制限個数に一定に維持する。例えば、携帯端末機は、前記登録イベントの発生時に、前記ウィジェットレイに登録されたウィジェット個数を確認し、既設定のウィジェット登録制限個数を超過する場合、登録要請されたウィジェット数に対応して前記ウィジェットレイに既登録のウィジェットを自動削除する。または前記削除イベントの発生によって前記ウィジェットレイが前記ウィジェット登録制限個数未満のウィジェットを含む場合、前記携帯端末機は、後述する予約スタックに保存されたウィジェットを前記ウィジェットレイに自動に登録する。これにより、本発明は、前記ウィジェットレイが前記ウィジェット登録制限個数を維持するように制御する。
【００２１】
次に、前記携帯端末機は、段階１０７で終了命令が入力されるか否かを確認し、前記終了命令が入力されれば、本発明によるウィジェット管理過程を終了する。一方、前記段階１０７で終了命令が入力されなければ、前記携帯端末機は、前記段階１０３に戻り、前述したような処理を繰り返す。
【００２２】
以上では、本発明の実施例によるウィジェット管理方法を概略的に説明した。以下では、前記登録イベント及び削除イベントによる携帯端末機のウィジェット管理方法についてさらに詳しく説明する。
【００２３】
図２は、本発明の登録イベントによる携帯端末機のウィジェット管理方法をさらに詳しく示すフローチャートである。
【００２４】
図２を参照すれば、携帯端末機は、段階２０１で待機状態である。その後、前記携帯端末機は、段階２０３で、少なくとも１つの特定のウィジェットを前記ウィジェットレイに登録する登録イベントが発生するか否かを確認する。前記登録イベントは、特定のサーバーからダウンロードされる新しいウィジェットを携帯端末機に設置し、前記ウィジェットレイに登録するイベント及び待機画面に表示されたウィジェットのうちいずれか１つを前記ウィジェットレイに移動するイベントである。
【００２５】
前記段階２０３で、登録イベントが感知されなければ、携帯端末機は、段階２０５に進行し、当該機能を行う。例えば、前記携帯端末機は、後述する削除イベントによるウィジェット管理手続を行うか、またはユーザの選択によって音楽再生機能、写真撮影機能などを行う。一方、前記段階２０３で、登録イベントが感知されれば、携帯端末機は、段階２０７に進行し、既設定のウィジェットレイのウィジェット登録制限個数を超過するか否かを確認する。この際、前記携帯端末機は、現在ウィジェットレイに登録されているウィジェット個数がウィジェットレイに最大で登録可能なウィジェット個数、すなわち既設定のウィジェット登録制限個数を超過しなければ、段階２２１に進行し、前記登録要請された少なくとも１つの特定のウィジェットを前記ウィジェットレイに登録する。
【００２６】
一方、前記段階２０７で、前記ウィジェット登録制限個数を超過すれば、携帯端末機は、段階２０９に進行し、前記ウィジェットレイに登録されたウィジェットの優先順位を確認し、段階２１１で優先順位が最も低いウィジェットを前記登録要請されたウィジェット数だけ選択する。前記優先順位は、ウィジェットの登録手順、最近利用手順、利用頻度などである。この際、図示してはいないが、前記携帯端末機は、前記段階２０７から前記段階２０９に進行する前に、前記ウィジェットレイに登録可能なウィジェット登録制限個数を超過することを通知し、前記ウィジェットレイに含まれたウィジェットの削除可否を確認する過程をさらに含む。ここで、前記携帯端末機は、削除するように選択する場合、段階２０９に進行し、削除しないように選択する場合、前記登録イベントが新しいウィジェットを設置するイベントなら、ウィジェットレイにウィジェットを登録する過程を省略し、ウィジェットを設置し、待機画面に登録されたウィジェットをウィジェットレイに移動するイベントなら、前記ウィジェットをウィジェットレイに移動することができないことを通知するメッセージを出力する。
【００２７】
次に、前記携帯端末機は、段階２１３で、前記選択されたウィジェットが保護設定されたか否かを確認する。この際、前記選択されたウィジェットが保護設定された場合、前記携帯端末機は、段階２１５に進行し、次に優先順位が低いウィジェットを選択した後、前記段階２１３に戻る。前記段階２１３で、選択されたウィジェットが保護設定されていない場合、前記携帯端末機は、段階２１７に進行し、前記選択されたウィジェットを前記ウィジェットレイから削除する。
【００２８】
次に、前記携帯端末機は、段階２１９で、前記削除されたウィジェットを予約スタックに保存し、段階２２１で、登録要請された前記特定のウィジェットをウィジェットレイに登録する。この際、前記携帯端末機は、前記特定のウィジェットをウィジェットレイの最上位に位置するように登録する。一方、図示してはいないが、携帯端末機は、前記削除されたウィジェットの保存可否を確認する過程をさらに含む。すなわち前記携帯端末機は、前記段階２１７で優先順位が低いウィジェットをウィジェットレイから削除した後、予約スタックに保存するか否かを問うポップアップ窓を表示し、ユーザが保存するように選択すれば、前記段階２１９を行う。この際、ユーザは、前記削除されたウィジェット全体を予約スタックに保存するか、または一部のみを選択して予約スタックに保存する。
【００２９】
次に、前記携帯端末機は、段階２２３で、終了命令が入力されるか否かを確認し、前記終了命令が入力されれば、本発明によるウィジェット管理過程を終了する。一方、前記段階２２３で、終了命令が入力されなければ、前記携帯端末機は前記段階２０３に戻り、前述した過程を繰り返す。
【００３０】
図３乃至図５は、本発明の実施例によるウィジェット登録イベントによる携帯端末機のウィジェット管理方法を説明するための例示図である。
【００３１】
詳細な説明に先立って、以下では、前記ウィジェット登録制限個数が１０個に設定されたものと仮定して説明する。また、前記ウィジェットレイ２０には、第１ウィジェットＷ１乃至第１０ウィジェットＷ１０が登録され、待機画面領域３０には、第１１ウィジェットＷ１１及び第１２ウィジェットＷ１２が登録され、予約スタック４０には、第１３ウィジェットＷ１３乃至第１５ウィジェットＷ１５が保存された場合を例にとって説明する。
【００３２】
図３乃至図５を参照すれば、携帯端末機の表示部１２０は、携帯端末機の受信電界状態情報、バッテリー残量情報、時間情報及び携帯端末機の機能実行状態情報などが表示されるインジケーター領域（Ｉｎｄｉｃａｔｏｒ）１０、既設定の背景画面及びユーザが既登録のウィジェットが表示される待機画面領域３０及び前記携帯端末機に設置されたウィジェットが登録されてリスト形態で表示されるウィジェットレイ２０を含む。ここで、ユーザは、表示部１２０の一側に表示された表示子２１を用いて前記ウィジェットレイ２０が表示部１２０の一側にオーバーラップされて表示されるか、除去されるようにする。また、前記ウィジェットレイ２０は、ウィジェットが登録される順に下位から位置するように整列する。例えば、図３の参照符号４１０で示したように、ウィジェットレイ２０に１０個のウィジェット、例えば、第１ウィジェットＷ１乃至第１０ウィジェットＷ１０が既登録の場合、前記ウィジェットレイ２０の最上位に整列されている第１ウィジェットＷ１は、最も最近登録されたウィジェットであり、ウィジェットレイ２０の最下位に整列されている第１０ウィジェットＷ１０は、最も以前にウィジェットレイ２０に登録されたウィジェットである。一方、本発明がウィジェットの登録順にウィジェットレイ２０に登録されたウィジェットを整列することに限定されるものではない。すなわち、前記ウィジェットレイ２０に登録されるウィジェットは、ユーザの選択によって分類されて整列できる。例えば、前記ウィジェットレイ２０に登録されたウィジェットは、利用頻度順、最近利用順などにできる。また、前記表示部１２０に出力されないが、図４に示したように、前記携帯端末機は、予約スタック４０を含む。前記予約スタック４０は、前記ウィジェットレイ２０に前記ウィジェット登録制限個数だけウィジェットが登録された状態で新しいウィジェットの登録要請によって前記ウィジェットレイ２０から自動削除されたウィジェット情報を保存する。この際、前記予約スタック４０は、後入れ先出し（ＬＩＦＯ）方式で前記自動削除されたウィジェット情報を保存することができる。前記予約スタック４０に保存されたウィジェットの情報は、イメージまたはアイコン形態で表示部に表示される。
【００３３】
図３の参照符号４１０で示したように、ユーザが待機画面領域３０に既登録の第１１ウィジェットＷ１１をウィジェットレイ２０に移動すれば、すなわち前記登録イベントが発生すれば、携帯端末機は、ウィジェットレイ２０に登録されているウィジェット個数を確認し、既設定のウィジェット登録制限個数を超過するか否かを判断する。この際、携帯端末機は、ウィジェットレイ２０に前記ウィジェット登録制限個数である１０個のウィジェットが登録されているので、優先順位が低い、例えば、ウィジェットレイ２０の最下位に登録されている第１０ウィジェットＷ１０を削除する。その後、参照符号４２０で示したように、携帯端末機は、前記登録要請された第１１ウィジェットＷ１１をウィジェットレイ２０に登録する。この際、前記携帯端末機は、前記登録要請された第１１ウィジェットＷ１１をウィジェットレイ２０の最上位に登録する。言い換えれば、前記携帯端末機は、ウィジェットレイ２０から優先順位が最も低い第１０ウィジェットＷ１０を自動削除し、登録要請された第１１ウィジェットＷ１１をウィジェットレイ２０に登録することによって、前記ウィジェットレイ２０が一定のウィジェット数を維持するようにする。この際、前記優先順位が最も低い第１０ウィジェットＷ１０は、図４に示したように、予約スタック４０に保存される。前記予約スタック４０は、前記ウィジェットレイ２０から自動削除されたウィジェットの情報を保存する領域であって、保存の効率性のために前記自動削除されたウィジェットのインデックス情報のみを保存する。
【００３４】
一方、本発明の実施例による携帯端末機は、前記ウィジェットレイ２０に既設定のウィジェット登録制限個数を超過してウィジェットの登録が要請される場合、ユーザにポップアップメッセージを通じてウィジェットレイ２０に保存する空間がないことを通知する過程をさらに含む。例えば、図５に示したように、携帯端末機は、ウィジェットレイに新しいウィジェットの登録が要請される場合、“ウィジェットレイ２０に登録可能な個数を超過しました。優先順位が低いウィジェットを削除した後に登録しますか？”のような文具を含むポップアップ窓４０９を表示する。
【００３５】
また、以上では、待機画面領域３０に位置する特定のウィジェットを前記ウィジェットレイ２０に移動する場合を例にとって説明した。しかし、本発明はこれに限定されない。すなわち携帯端末機は、特定のサーバーからダウンロードしたウィジェットを設置し、ウィジェットレイ２０に登録する場合も、前述したように、ウィジェットレイ２０に登録されているウィジェットのうち優先順位が低いウィジェットを自動削除し、前記自動削除されたウィジェットを予約スタック４０に保存し、ウィジェットレイ２０に前記設置されたウィジェットを登録する。
【００３６】
以上では、登録イベント発生によるウィジェット管理方法を説明した。以下では、削除イベント発生によるウィジェット管理方法を説明する。
【００３７】
図６は、本発明の削除イベントによるウィジェット管理方法を説明するためのフローチャートであり、図７乃至図１０は、本発明の削除イベントによるウィジェット管理方法を説明するための例示図である。
【００３８】
図６乃至図１０を参照すれば、携帯端末機は、段階５０１で待機状態である。その後、前記携帯端末機は、段階５０３でウィジェットレイ２０に登録されている少なくとも１つの特定のウィジェットを削除する削除イベントが発生するか否かを確認する。前記削除イベントは、特定のウィジェットを携帯端末機から除去し、前記ウィジェットレイ２０から削除するイベント、前記ウィジェットレイ２０に登録されたウィジェットをウィジェットレイ２０から削除するイベントまたは前記ウィジェットレイ２０に含まれた特定のウィジェットを待機画面領域３０に移動するイベントを含む。以下では、前記ウィジェットレイ２０に含まれた特定のウィジェットを待機画面領域３０に移動する削除イベントを例にとって説明する。
【００３９】
前記段階５０３で、削除イベントが感知されなければ、前記携帯端末機は、段階５０５に進行し、該当機能を行う。例えば、前記携帯端末機は、ユーザの要請によって音楽再生機能、写真撮影機能、文字メッセージ作成機能などを行う。一方、前記段階５０３で、削除イベントが感知されれば、すなわちユーザが参照符号６１０で示したように、ウィジェットレイ２０に登録された第３ウィジェットＷ３を待機画面領域３０に移動すれば、携帯端末機は、段階５０７に進行し、ウィジェットレイ２０から前記第３ウィジェットＷ３を削除する。この際、携帯端末機は、前記ウィジェットレイ２０に他のウィジェットの登録要請による自動削除ではないので、削除される特定のウィジェットに関する情報を前記予約スタック４０に保存しない。ここで、前記予約スタック４０についての説明は、前述したので省略する。
【００４０】
次に、前記携帯端末機は、段階５０９で、予約スタック４０に少なくとも１つのウィジェット情報が存在するか否かを判断する。前記予約スタック４０にウィジェット情報が存在すれば、携帯端末機は、段階５１１に進行し、前記予約スタック４０に保存されたウィジェットの情報を抽出する。この際、前記携帯端末機は、予約スタック４０に保存されたウィジェットのうち最後に保存されるウィジェット情報を抽出する。例えば、図８に示したように、前記予約スタック４０に第１０ウィジェットＷ１０、第１３ウィジェットＷ１３、第１４ウィジェットＷ１４及び第１５ウィジェットＷ１５が順次に保存された場合、最上位に保存された第１０ウィジェットＷ１０を抽出する。
【００４１】
次に、前記予約スタック４０からウィジェット情報が抽出されれば、携帯端末機は、段階５１３で、前記抽出されたウィジェット情報に対応するウィジェット、すなわち第１０ウィジェットＷ１０を前記ウィジェットレイ２０に登録する。この際、前記第１０ウィジェットＷ１０は、参照符号６２０で示したように、前記ウィジェットレイ２０の最下位に位置するように登録される。一方、前記段階５０９で、予約スタック４０にウィジェット情報が存在しなければ、前記携帯端末機は前記削除イベントによるウィジェット管理過程を終了する。一方、図示してはいないが、前記段階５０９で、前記予約スタック４０にウィジェット情報が存在しない場合、携帯端末機は、これをユーザに通知し、ユーザが他のウィジェット情報を前記ウィジェットレイ２０に登録するようにすることもできる。例えば、携帯端末機は、前記ウィジェットレイ２０に登録されていないウィジェットリストを出力し、ユーザが前記出力されたウィジェットリストから特定のウィジェットを選択すれば、前記選択された特定のウィジェットをウィジェットレイ２０に登録する。これにより、本発明は、前記予約スタック４０にウィジェット情報が存在しなくても、前記ウィジェットレイ２０が前記ウィジェット登録制限個数だけのウィジェット数を維持するようにする。
【００４２】
次に、前記携帯端末機は、段階５１５で、終了命令が入力されるか否かを確認し、前記終了命令が入力されれば、本発明によるウィジェット管理過程を終了する。一方、前記段階５１５で、終了命令が入力されなければ、前記携帯端末機は、前記段階５０３に戻り、前述したような過程を繰り返す。
【００４３】
一方、以上では、ウィジェットレイ２０から１つのウィジェットを削除する場合を例にとって説明した。しかし、本発明はこれに限定されない。例えば、参照符号６３０で示したように、ユーザがウィジェットレイ２０から２つのウィジェット、例えば、第６ウィジェットＷ６及び第７ウィジェットＷ７を同時に削除する場合、前記携帯端末機は、図１０に示したように、予約スタック４０から２つのウィジェット情報、例えば、第１０ウィジェットＷ１０及び第１３ウィジェットＷ１３を抽出する。その後、前記携帯端末機は、参照符号６４０で示したように、削除要請された第６ウィジェットＷ６及び第７ウィジェットＷ７を前記ウィジェットレイ２０から削除し、前記抽出された第１０ウィジェットＷ１０及び第１３ウィジェットＷ１３を前記ウィジェットレイ２０に登録する。この際、前記参照符号６４０で示したように、前記削除イベントがウィジェットレイ２０に登録されたウィジェットを待機画面領域３０に移動するイベントではない場合、前記待機画面領域３０に前記削除されたウィジェットＷ６、Ｗ７が表示されない。
【００４４】
以上では、削除イベント発生によるウィジェット管理方法について説明した。以下では、前記ウィジェットレイ２０に登録された特定のウィジェットの保護設定方法について説明する。
【００４５】
図１１は、本発明の実施例によるウィジェット保護設定方法を示すフローチャートであり、図１２は、本発明の実施例によるウィジェット保護設定方法を説明するための例示図である。
【００４６】
図１１乃至図１２を参照すれば、携帯端末機は、段階６０１で待機状態である。その後、前記携帯端末機は、段階６０３で、ウィジェット保護設定が活性化されるか否かを確認する。この際、前記ウィジェット保護設定は、ウィジェットレイ２０に既登録のウィジェットが新しいウィジェットの登録要請によってウィジェットレイ２０から自動に削除され、前述したような予約スタック４０に保存されることを防止するために設定される。
【００４７】
前記段階６０３で、ウィジェット保護設定が活性化されなければ、前記携帯端末機は、段階６０５に進行し、当該機能を行う。例えば、前記携帯端末機は、ユーザの要請によって音楽再生機能、文字メッセージ作成機能などを行う。一方、前記段階６０３で、ウィジェット保護設定が活性化されれば、携帯端末機は、段階６０７に進行し、前記ウィジェットレイ２０に含まれたウィジェットリストを出力する。例えば、参照符号７１０で示したように、携帯端末機は、前記ウィジェット保護設定メニューが活性化されれば、前記ウィジェットレイ２０に登録されているウィジェットリストを出力する。
【００４８】
次に、段階６０９で、ユーザは、入力部、例えば、方向キー（図示せず）及び確認キー（図示せず）などを利用して保護設定しようとするウィジェットを選択する。または、前記携帯端末機の表示部１２０がタッチスクリーンの場合、指またはスタイラスペンなどを利用して保護設定しようとするウィジェットを選択する。前記保護設定しようとするウィジェット選択が完了すれば、携帯端末機は、段階６１１で、保護設定信号が入力されるか否かを確認する。前記保護設定信号は、確認キー（図示せず）の入力または前記表示部１２０がタッチスクリーン方式で形成された場合、確認キー領域７４０のタッチなどにより入力される。前記保護設定信号が入力されれば、前記携帯端末機は、段階６１３に進行し、前記段階６０９で選択されたウィジェットを保護設定する。例えば、前記携帯端末機は、前記保護設定信号が入力されれば、参照符号７２０で示したように、保護機能設定可否を問うポップアップ窓を表示する。前記ポップアップ窓で、“ＹＥＳ”を選択すれば、前記携帯端末機は、参照符号７３０で示したように、前記段階６０９で選択されたウィジェットの保護機能が設定されたことを通知するメッセージを既設定の時間の間に出力する。
【００４９】
次に、前記段階６１３で保護設定が完了するか、または前記段階６１１で保護設定信号が入力されなければ、前記携帯端末機は、段階６１５で、終了命令が入力されるか否かを確認し、前記終了命令が入力されれば、本発明によるウィジェット管理過程を終了する。一方、前記段階６１５で、終了命令が入力されなければ、前記携帯端末機は、前記段階６０３に戻り、前述したような過程を繰り返す。このようにユーザは、保護設定によりウィジェットが自動削除されることを防止することによって、自分が希望するウィジェットが前記ウィジェットレイ２０に常に登録された状態を維持するようにする。
【００５０】
以上では、本発明の実施例による携帯端末機のウィジェット管理方法について説明した。以下では、本発明の実施例による携帯端末機について説明する。
【００５１】
詳細な説明に先立って、本発明の実施例による携帯端末機は、ウィジェットサービスを実行する端末機であって、好ましくは、移動電話機、個人情報端末機（ＰＤＡ；Ｐｅｒｓｏｎａｌ  Ｄｉｇｉｔａｌ  Ａｓｓｉｓｔａｎｔｓ）、スマートフォン（Ｓｍａｒｔ  Ｐｈｏｎｅ）、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）端末機、ＣＤＭＡ（Ｃｏｄｅ  Ｄｉｖｉｓｉｏｎ  Ｍｕｌｔｉｐｌｅ  Ａｃｃｅｓｓ）端末機、ＧＳＭ（Ｇｌｏｂａｌ  Ｓｔａｎｄａｒｄ  ｆｏｒ  Ｍｏｂｉｌｅ  Ｃｏｍｍｕｎｉｃａｔｉｏｎ）端末機、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）端末機、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）端末機、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）端末機及びＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、パソコン（Ｐｅｒｓｏｎａｌ  Ｃｏｍｐｕｔｅｒ）、ノートパソコン（Ｎｏｔｅｂｏｏｋ    Ｃｏｍｐｕｔｅｒ）などのようなすべての情報通信機器及びマルチメディア機器とそれに対する応用機器を含む。
【００５２】
図１３は、本発明の実施例による携帯端末機の概略的な構成を示すブロック図である。
図１３を参照すれば、本発明の実施例による携帯端末機は、入力部１１０、表示部１２０、保存部１３０、無線通信部１４０及び制御部１００を含む。前記保存部１３０は、予約スタック４０を含む。
【００５３】
前記入力部１１０は、多様な文字情報が入力され、各種機能の設定及び前記携帯端末機の機能制御と関連して入力される信号を前記制御部１００に伝達する。この際、入力部１１０は、前記携帯端末機の提供形態によってタッチパッド（Ｔｏｕｃｈ  ｐａｄ）を別に含む。また、前記入力部１１０は、前記携帯端末機の提供形態によってタッチパッド、タッチスクリーン、一般的なキー配列のキーパッド、クワーティ方式のキーパッド及び特定の機能を行うように設定された機能キーなどのような入力手段のうちいずれか１つまたはこれらの組み合わせで形成される。特に、本発明の実施例による入力部１１０は、ウィジェットレイ２０にウィジェットを登録する登録イベントまたはウィジェットレイ２０に登録されているウィジェットを削除する削除イベントによって該当する入力信号を制御部１００に伝達する。また、入力部１１０は、ウィジェット保護設定と関連した一連の動作を行うための入力信号を制御部１００に伝達する。
【００５４】
前記表示部１２０は、前記携帯端末機の機能実行中に発生する画面データを表示し、ユーザの入力イベント及びキー操作などの状態情報を表示し、前記携帯端末機の機能設定情報などを表示する。このような表示部１２０は、ＬＣＤ（Ｌｉｑｕｉｄ  Ｃｒｙｓｔａｌ  Ｄｉｓｐｌａｙ）、有機発光ダイオード（Ｏｒｇａｎｉｃ  Ｌｉｇｈｔ  Ｅｍｉｔｔｉｎｇ  Ｄｉｏｄｅ：ＯＬＥＤ）などで形成される。仮に、前記表示部１２０がタッチスクリーン方式で具現される場合、表示部１２０は、入力部１１０として動作することもできる。前記表示部１２０は、待機画面にユーザが登録したウィジェットを表示する。また、ユーザによって登録されるウィジェットを含むウィジェットレイ２０を一側に表示する。前記表示部１２０は、前記ウィジェットレイ２０を出力するか、または除去する表示子２１を一側に出力する。すなわち前記表示部１２０がタッチスクリーン方式で形成された場合、ユーザは、前記表示子２１をタッチし、前記ウィジェットレイ２０が表示部１２０の一側にオーバーレイされて出力されるようにするか、または前記ウィジェットレイ２０が出力された状態で前記表示子２１をタッチし、前記ウィジェットレイ２０を表示部１２０から除去する。
【００５５】
前記保存部１３０は、携帯端末機のブーティングのための運営体制（Ｏｐｅｒａｔｉｎｇ  Ｓｙｓｔｅｍ：ＯＳ）、携帯端末機の各アプリケーションプログラム、例えば、ウィジェットサービスを行うためのアプリケーションプログラムなどを保存する。また、保存部１３０は、携帯端末機の使用によって発生するユーザデータなどが保存される。このために、保存部１３０は、プログラム領域及びデータ領域に区分される。特に、本発明の実施例によるプログラム領域は、ウィジェットレイ２０に特定のウィジェットを登録するためのプログラム、ウィジェットレイ２０に登録されている特定のウィジェットを削除する場合、前記特定のウィジェットに関する情報（例えば、インデックス情報）を獲得するプログラム及び特定のウィジェットに保護設定を行うプログラムなどが保存される。また、前記データ領域は、前記アプリケーションプログラムの実行中に発生するデータ、ユーザが入力したデータなどの多様なデータなどが保存される。特に、本発明の実施例によるデータ領域は、ウィジェットレイ２０に登録されるウィジェットに対応する情報が保存される。また、前記データ領域は、ウィジェットレイ２０に登録されたウィジェットの優先順位情報を保存する。前記優先順位は、最近利用順、登録順、利用頻度順などによって設定される。このために、前記データ領域は、各ウィジェットの登録日付及び時間、各ウィジェットの最後の利用日付及び時間、既設定の一定期間（例えば、一週間、一ヶ月など）または設置後から現在まで各ウィジェットの利用頻度を保存する。
【００５６】
保存部１３０は、予約スタック４０を含む。前記予約スタック４０は、前記登録イベントの発生によってウィジェットレイ２０に登録されたウィジェット数が既設定のウィジェット登録制限個数を超過しないように、優先順位が低いウィジェットを削除する場合、前記削除されたウィジェットの情報が保存される領域である。この際、前記予約スタック４０は、前記ウィジェットレイ２０から削除されたウィジェットに関するインデックス情報のみを保存するので、多くの保存空間を必要としない。前記予約スタック４０は、前記インデックス情報を後入れ先出し（ＬＩＦＯ）方式で保存する。これは、削除イベントの発生によって前記予約スタック４０に保存されたウィジェットをウィジェットレイ２０に登録するとき、最近利用されたウィジェットが登録されるようにするためである。
【００５７】
前記無線通信部１４０は、短文メッセージサービス（ＳＭＳ；Ｓｈｏｒｔ  Ｍｅｓｓａｇｅ  Ｓｅｒｖｉｃｅ）またはマルチメディアメッセージサービス（ＭＭＳ；Ｍｕｌｔｉｍｅｄｉａ  Ｍｅｓｓａｇｅ  Ｓｅｒｖｉｃｅ）、音声通話サービス及びデータ通信サービスなどと関連した信号の送受信を担当する。また、無線通信部１４０は、音声／音響データ及び制御データなどを無線信号に変換して送信し、無線信号を受信して音声／音響データ及び制御データなどに変換して出力する。このために、無線通信部１４０は、送信される信号の周波数を上昇変換及び増幅する無線周波数送信部と、受信される信号を低雑音増幅し、周波数を下降変換する無線周波数受信部などを含む。特に、本発明の実施例による無線通信部１４０は、ユーザの要請によって特定のサーバーからウィジェットをダウンロードする機能を行う。また、無線通信部１４０は、ウィジェットサービスが実行される間に、当該サーバーと通信を実行し、データをリアルタイムに受信する。例えば、天気ウィジェットが実行される場合、前記無線通信部１４０は、天気情報提供サーバーから天気情報を持続的に受信し、前記制御部１００に伝送する。
【００５８】
前記制御部１００は、携帯端末機を構成する各構成の全般的な動作を制御する機能を行う。特に、本発明の実施例による制御部１００は、ウィジェットレイ２０に少なくとも１つのウィジェットを登録するか、または前記ウィジェットレイ２０から少なくとも１つのウィジェットが削除される場合、前記ウィジェットレイ２０に含まれたウィジェットの数を一定に維持するように制御する。これについてさらに詳しく説明すれば、前記制御部１００は、最大で登録可能なウィジェット登録制限個数（例えば、１０個）が設定されたウィジェットレイ２０をユーザの選択によって表示部１２０の一側に表示するように制御する。その後、前記ウィジェットレイ２０に１０個のウィジェットが登録された状態で、特定のサーバーからダウンロードしたウィジェットを設置するか、または待機画面に登録されたウィジェットをウィジェットレイ２０に移動する登録イベントが発生すれば、制御部１００は、前記ウィジェットレイ２０が前記ウィジェット登録制限個数を超過するので、前記ウィジェットレイ２０に含まれたウィジェットのうち優先順位が最も低いウィジェットを自動削除する。この際、前記制御部１００は、自動削除されたウィジェットに関する情報を前記予約スタック４０に保存するように制御する。その後、制御部１００は、登録要請されたウィジェットをウィジェットレイ２０に登録する。この際、制御部１００は、前記登録要請されたウィジェットをウィジェットレイ２０の最上位に登録する。このような過程により、前記制御部１００は、前記ウィジェットレイ２０が前記登録ウィジェット制限個数だけのウィジェットを含むように制御する。
【００５９】
一方、前記制御部１００は、前記自動削除以前にウィジェットレイ２０から優先順位が最も低いウィジェットの削除可否を確認するポップアップ窓を出力するように制御し、ユーザが削除するように選択する場合、優先順位が最も低いウィジェットを自動削除し、登録要請されたウィジェットをウィジェットレイ２０に登録する。一方、前記制御部１００は、削除しないように選択する場合、前記登録イベントが新しいウィジェットを設置するイベントなら、ウィジェットレイ２０にウィジェットを登録する過程を省略してウィジェットを設置し、待機画面に登録されたウィジェットをウィジェットレイ２０に移動するイベントなら、前記ウィジェットをウィジェットレイ２０に移動することができないことを通知するメッセージを出力する。また、前記制御部１００は、優先順位が低いウィジェットを選択し、自動削除時にウィジェットの保護設定可否を確認し、保護設定されないウィジェットを削除するように制御する。
【００６０】
前記制御部１００は、特定のウィジェットを削除し、ウィジェットレイ２０から削除されるようにするか、または特定のウィジェットを前記ウィジェットレイ２０から削除するか、または前記ウィジェットレイ２０に登録されたウィジェットを前記待機画面領域３０に移動する削除イベントが感知されれば、ウィジェットレイ２０から削除イベントに対応する少なくとも１つの特定のウィジェットを削除する。ここで、制御部１００は、ウィジェットレイ２０から削除される特定のウィジェットに関する情報を予約スタック４０に保存しない。その後、前記制御部１００は、前記予約スタック４０にウィジェット情報が存在するか否かを判断する。ここで、ウィジェット情報が存在すれば、制御部１００は、予約スタック４０からウィジェット情報を抽出する。この際、前記制御部１００は、予約スタック４０に最後に保存されるウィジェット情報を抽出する。前記予約スタック４０からウィジェット情報が抽出されれば、制御部１００は、抽出されたウィジェット情報に対応するウィジェットをウィジェットレイ２０に登録する。この際、前記制御部１００は、前記抽出されたウィジェットをウィジェットレイ２０の最下位に位置するように登録する。
【００６１】
前述したような本発明の実施例による方法は、多様なコンピュータ手段により実行することができるプログラム命令形態に具現され、コンピュータで読み取り可能な記録媒体に記録できる。この際、前記コンピュータで読み取り可能な記録媒体は、プログラム命令、データファイル、データ構造などを単独でまたは組み合わせて含むことができる。一方、記録媒体に記録されるプログラム命令は、本発明のために特別に設計され、構成されたものであるか、またはコンピュータソフトウェア当業者に公知されて使用可能なものであってもよい。前記コンピュータで読み取り可能な記録媒体には、ハードディスク、フロッピー（登録商標）ディスク及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ（Ｒｅａｄ  Ｏｎｌｙ  Ｍｅｍｏｒｙ）、ＲＡＭ、フラッシュメモリーなどのようなプログラム命令を保存し実行するように特別に構成されたハードウェア装置が含まれる。また、プログラム命令には、コンパイラーによって製作されるような機械語コードだけでなく、インタプリターなどを使用してコンピュータによって実行できる高級言語コードを含む。前述したハードウェア装置は、本発明の動作を行うために１つ以上のソフトウェアモジュールとして作動するように構成できる。
【００６２】
一方、本明細書と図面により本発明の好ましい実施例について説明した。たとえ特定の用語が使用されたとしても、これは、ただ本発明の技術内容を容易に説明し、発明の理解を助けるための一般的な意味として使用されたものに過ぎず、本発明の範囲を限定しようとするものではない。ここに開示された実施例以外にも、本発明の技術的思想に基づく他の変形例が実施可能であることは、本発明の属する技術分野における通常の知識を有する者に自明である。
【符号の説明】
【００６３】
１０    インジケーター領域
２０    ウィジェットレイ
２１    表示子
３０    待機画面領域
４０    予約スタック
１００  制御部
１１０  入力部
１２０  表示部
１３０  保存部
１４０  無線通信部
４０９  ポップアップ窓
【図１】
2011054169.tif 000003
【図２】
2011054169.tif 000004
【図３】
2011054169.tif 000005
【図４】
2011054169.tif 000006
【図５】
2011054169.tif 000007
【図６】
2011054169.tif 000008
【図７】
2011054169.tif 000009
【図８】
2011054169.tif 000010
【図９】
2011054169.tif 000011
【図１０】
2011054169.tif 000012
【図１１】
2011054169.tif 000013
【図１２】
2011054169.tif 000014
【図１３】
2011054169.tif 000015